(57)【要約】【解決手段】先に倒される相対する側壁２がヒンジ連結された底部１の土手部１ａに、相対する側壁部１ａ２と該側壁部より高さの低い外壁部１ａ１とにより、前記後に倒される相対する側壁３に形成された弾性舌片４の係合突部４ａの上端面付近が収容される収容凹部ｓ１を形成したものである。【効果】後に倒される相対する側壁に形成された弾性舌片の係合突部を、後に倒される相対する側壁のより外側に配設することができ、従って、折り畳みコンテナーが箱型に組み立てられた際に、後に倒される相対する側壁に形成された弾性舌片の係合突部の折り畳みコンテナーの内部への突出部を皆無に、或いは、少なくすることができる。【選択図】図１４
2010173654.tif 000002
【特許請求の範囲】
【請求項１】
底部と、該底部の一方の相対する土手部にヒンジ連結されている、箱型に組み立てられた状態から先に倒される相対する側壁と、前記底部のもう一方の相対する土手部にヒンジ連結されている、箱型に組み立てられた状態から後に倒される相対する側壁とを有する折り畳みコンテナーにおいて、前記先に倒される相対する側壁がヒンジ連結された底部の土手部に、相対する側壁部と該側壁部より高さの低い外壁部とにより、前記後に倒される相対する側壁に形成された弾性舌片の係合突部の上端面付近が収容される収容凹部が形成されていることを特徴とする折り畳みコンテナー。
【請求項２】
箱型に組み立てられた際に、前記先に倒される相対する側壁がヒンジ連結されている底部の土手部に形成された前記収容凹部内に配置される遮蔽部材が、前記先に倒される相対する側壁に形成されていることを特徴とする請求項１に記載の折り畳みコンテナー。
【発明の詳細な説明】
【技術分野】
【０００１】
本発明は、底部を囲むように配設された側壁を、底部に重なるように折り畳むことが可能な折り畳みコンテナーに関するものである。
【背景技術】
【０００２】
従来、平面形状が略長方形に形成された底部の相対する長辺部に、ヒンジ部材を介してヒンジ連結された長側壁と、同じく底部の相対する短辺部に、ヒンジ部材を介してヒンジ連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック機構により、ロックされるように構成されている。
【０００３】
ロック機構としては、例えば、箱型に組み立てられた状態から後に倒される短側壁に、折り畳みコンテナー内に向かって突設された係合突部を有する弾性舌片を形成し、折り畳みコンテナーが箱型に組み立てられた際には、弾性舌片の先端部に突設された係合突部を、箱型に組み立てられた状態から先に倒される長側壁の内面に当接させることにより、先に倒される長側壁が、底部方向に倒れないように構成されている。また、箱型に組み立てられた状態の折り畳みコンテナーを折り畳む際には、短側壁に形成された弾性舌片を、同じく、短側壁に配設されたロック解除部材を操作することにより、ロック解除部材を構成する梃子杆により、短側壁に形成された弾性舌片を外側に弾性変形させて、弾性舌片の先端部に突設されている係合突部と長側壁の内面との係合を解除することにより、先ず最初に、長側壁を底部に重なるように倒し、その後、短側壁を、先に倒された長側壁に重なるように倒すことにより、箱型に組み立てられた折り畳みコンテナーを折り畳むように構成されている。このような構成を有する折り畳みコンテナーは、一例として、特許文献１及び特許文献２に開示されている。
【０００４】
また、上述したように、折り畳みコンテナーを折り畳んだ際に、後から倒される短側壁に形成された弾性舌片の係合突部が、底部に当接しないように、底部に、短側壁に形成された弾性舌片の係合突部が挿入されるようなスペースを形成することが、一例として、特許文献３及び特許文献４に開示されている。
【先行技術文献】
【特許文献】
【０００５】
【特許文献１】特開２００６−４４７４６号公報
【特許文献２】特開２００７−２２５６１号公報
【特許文献３】特開２００３−３３５３３５号公報
【特許文献４】特開２００４−２６２６３号公報
【発明の概要】
【発明が解決しようとする課題】
【０００６】
箱型に組み立てられた折り畳みコンテナーを折り畳む際に、後から底部方向に倒される短側壁に、先端部に係合突部が突設された弾性舌片を形成することになるが、折り畳みコンテナーが箱型に組み立てられた場合には、短側壁に形成された弾性舌片の係合突部が、箱型に組み立てられた折り畳みコンテナーの内部に突出することになる。このように、弾性舌片の係合突部が、箱型に組み立てられた折り畳みコンテナーの内部に突出していると、箱型に組み立てられた折り畳みコンテナーに収容された物品を取り出す際に、物品が、弾性舌片の係合突部に引っ掛かり、物品の取り出し作業の作業性が悪化したり、物品が、弾性舌片の係合突部に引っ掛かり、物品が損傷するという問題があった。
【０００７】
また、近年、折り畳みコンテナーを大型化することが行われているが、折り畳みコンテナーを大型化した場合には、箱型に組み立てられた状態から、後から倒される短側壁に形成される弾性舌片の係合突部を、大きくする必要があり、従って、短側壁に形成された弾性舌片の係合突部が、箱型に組み立てられた折り畳みコンテナーの内部に、より大きく突出することになる。
【０００８】
本発明の目的は、上述した従来の折り畳みコンテナーが有する課題を解決することにある。
【課題を解決するための手段】
【０００９】
本発明は、上述した目的を達成するために、底部と、該底部の一方の相対する土手部にヒンジ連結されている、箱型に組み立てられた状態から先に倒される相対する側壁と、前記底部のもう一方の相対する土手部にヒンジ連結されている、箱型に組み立てられた状態から後に倒される相対する側壁とを有する折り畳みコンテナーにおいて、第１には、前記先に倒される相対する側壁がヒンジ連結された底部の土手部に、相対する側壁部と該側壁部より高さの低い外壁部とにより、前記後に倒される相対する側壁に形成された弾性舌片の係合突部の上端面付近が収容される収容凹部を形成したものであり、第２には、箱型に組み立てられた際に、前記先に倒される相対する側壁がヒンジ連結されている底部の土手部に形成された前記収容凹部内に配置される遮蔽部材を、前記先に倒される相対する側壁に形成したものである。
【発明の効果】
【００１０】
底部と、該底部の一方の相対する土手部にヒンジ連結されている、箱型に組み立てられた状態から先に倒される相対する側壁と、前記底部のもう一方の相対する土手部にヒンジ連結されている、箱型に組み立てられた状態から後に倒される相対する側壁とを有する折り畳みコンテナーにおいて、前記先に倒される相対する側壁がヒンジ連結された底部の土手部に、相対する側壁部と該側壁部より高さの低いに外壁部とにより、前記後に倒される相対する側壁に形成された弾性舌片の係合突部の上端面付近が収容される収容凹部を形成したので、前記後に倒される相対する側壁に形成された弾性舌片の係合突部を、前記後に倒される相対する側壁のより外側に配設することができ、従って、折り畳みコンテナーが箱型に組み立てられた際に、前記後に倒される相対する側壁に形成された弾性舌片の係合突部の折り畳みコンテナーの内部への突出部を皆無に、或いは、少なくすることができ、よって、従来の折り畳みコンテナーのように、収容された物品を取り出す際に、物品が、弾性舌片の係合突部に引っ掛かり、物品の取り出し作業の作業性が悪化したり、物品が、弾性舌片の係合突部に引っ掛かり、物品が損傷するというような問題を解決することができる。
【００１１】
箱型に組み立てられた際に、前記先に倒される相対する側壁がヒンジ連結されている底部の土手部に形成された前記収容凹部内に配置される遮蔽部材を、前記先に倒される相対する側壁に形成したので、前記収容凹部を形成したために、折り畳みコンテナーを組み立てた際に、前記外壁部と前記先に倒される相対する側壁との間に形成される窓状間隙を閉鎖することができ、従って、箱型に組み立てられた折り畳みコンテナーに収容された物品の窓状間隙からの排出を防止することができる。
【図面の簡単な説明】
【００１２】
【図１】図１は、本発明の折り畳みコンテナーが組み立てられた状態の斜視図である。
【図２】図２は、本発明の折り畳みコンテナーの長側壁が倒された状態の斜視図である。
【図３】図３は、本発明の折り畳みコンテナーが折り畳まれた状態の斜視図である。
【図４】図４は、本発明の折り畳みコンテナーを構成する短側壁の部分拡大斜視図である。
【図５】図５は、本発明の折り畳みコンテナーを構成する長側壁の部分拡大斜視図である。
【図６】図６は、本発明の折り畳みコンテナーが箱型に組み立てられた状態の隅部付近の部分拡大斜視図である。
【図７】図７は、本発明の折り畳みコンテナーの短側壁に形成されたカードホルダー用弾性部材の垂直断面図である。
【図８】図８は、本発明の折り畳みコンテナーの底部を構成する長辺側土手部の部分拡大斜視図である。
【図９】図９は、図８の一部断面を含む長辺側土手部の部分拡大斜視図である。
【図１０】図１０は、本発明の折り畳みコンテナーの長側壁の部分拡大斜視図である。
【図１１】図１１は、図１０の一部断面を含む長側壁の部分拡大斜視図である。
【図１２】図１２は、長側壁が倒された状態の一部断面を含む本発明の折り畳みコンテナーの部分拡大斜視図である。
【図１３】図１３は、長側壁が倒された状態の本発明の折り畳みコンテナーの部分拡大斜視図である。
【図１４】図１４は、長側壁及び短側壁が倒された状態の一部断面を含む本発明の折り畳みコンテナーの部分拡大斜視図である。
【図１５】図１５は、長側壁が立てられた状態の本発明の折り畳みコンテナーの部分拡大斜視図である。
【図１６】図１６は、長側壁が立てられた状態の一部断面を含む本発明の折り畳みコンテナーの部分拡大斜視図である。
【図１７】図１７は、従来の折り畳みコンテナーの底部に形成された係合突部収容空間部の部分拡大斜視図である。
【実施例】
【００１３】
以下に、本発明の実施例について説明するが、この実施例においては、箱型に組み立てられた折り畳みコンテナーを折り畳む際には、一例として、長側壁が先に倒され、次いで、短側壁が倒される例が示されている。当然のことながら、短側壁を先に倒し、次いで、長側壁を倒すように構成することもできる。
【００１４】
先ず最初に、図１〜図５を用いて、折り畳みコンテナーの主要な構成部材等について概説する。
【００１５】
本発明の全体構成は、図１〜図４に示されているように、底部１と、底部１の相対する長辺側土手部１ａにヒンジ連結された長側壁２と、底部１の相対する短辺側土手部１ｂにヒンジ連結された短側壁３とから構成されており、本実施例においては、短辺側土手部１ｂの高さは、長辺側土手部１ａの高さより高く構成されている。
【００１６】
短側壁３は、略方形状の板状部３ａを有しており、短側壁３の両垂直端には、板状部３ａに略垂直で、且つ、短側壁３の内面（折り畳みコンテナーを、図１に示されているように、箱型に組み立てた際に、箱型に組み立てられた折り畳みコンテナーの内側に位置する面）３ａ１から突出する方向に延在する、縦長の係合枠３ｂが形成されており、係合枠３ｂには、上下方向に所定の間隔を置いて、嵌合孔３ｂ１が、適当数、形成されている。本実施例には、２個の嵌合孔３ｂ１が形成されている例が示されている。また、嵌合孔３ｂ１は、板状の係合枠３ｂの垂直縁に沿った垂直肉厚部３ｃ１と垂直肉厚部３ｃ１の上端から板状部３ａまで延在する上部肉厚部３ｃ２と垂直肉厚部３ｃ１の下端から板状部３ａまで延在する下部肉厚部３ｃ３とにより囲まれている。そして、２個の嵌合孔３ｂ１間には、薄肉板部３ｂ２が形成されている。
【００１７】
係合枠３ｂの薄肉板部３ｂ２付近に位置する板状部３ａの両端部付近には、上下方向に所定の間隔を置いて形成された水平溝部３ｄ１と、係合枠３ｂの薄肉板部３ｂ２に接近して位置するとともに、水平溝部３ｄ１の薄肉板部３ｂ２側の端部を連結する垂直溝３ｄ２とからなる略コの字状のスリット３ｄが形成されており、短側壁３の板状部３ａに、このようなスリット３ｄを形成することにより、短側壁３には、薄肉板部３ｂ２側に自由端部を有する弾性舌片４が形成されている。また、弾性舌片４の先端部には、略角柱状の係合突部４ａが突設されており、係合突部４ａの下面４ａ１は、係合突部４ａの付け根から係合突部４ａの先端に向かうに従って、上方に傾斜した傾斜面として形成されているとともに、弾性舌片４の根元側に位置する係合突部４ａの側面４ａ２にも、係合突部４ａの付け根から係合突部４ａの先端に向かうに従って、係合枠２ｂ方向に傾斜した傾斜面が形成されている。なお、係合突部４ａの下面４ａ１の傾斜面を、以下、単に、傾斜下面４ａ１と称し、係合突部４ａの側面４ａ２の傾斜面を、以下、単に、傾斜側面４ａ２と称する。
【００１８】
弾性舌片４の先端部に形成されている係合突部４ａは、上方に位置する嵌合孔３ｂ１付近の下部肉厚部３ｃ３と、下方に位置する嵌合孔３ｂ１付近の上部肉厚部３ｃ２との間に、位置するとともに、可能な限り、上方に位置する嵌合孔３ｂ１と下方に位置する嵌合孔３ｂ１との間に形成された係合枠３ｂを構成する薄肉板部３ｂ２に近接して位置するように構成されている。
【００１９】
このように構成することにより、折り畳みコンテナーが箱型に組み立てられた際に、弾性舌片４の先端部に形成されている係合突部４ａの折り畳みコンテナー内に突出する部分を少なくすることができ、従って、箱型に組み立てられた折り畳みコンテナーに収容された物品を取り出す際に、物品が、弾性舌片４の係合突部４ａに引っ掛かり、物品の取り出し作業の作業性が悪くなるようなことを防止することができるとともに、物品が、弾性舌片４の係合突部４ａに引っ掛かり、物品が損傷するというようなことを防止することができる。
【００２０】
長側壁２は、略方形状の板状部２ａを有しており、板状部２ａの上下端には、板状部２ａの外面（図１に示されているように、折り畳みコンテナーを箱型に組み立てた際に、折り畳みコンテナーの外側に位置する面）２ａ１に対して略垂直方向に延在する上端水平リブ２ｂ及び下端水平リブ２ｃが、それぞれ形成されており、また、上端水平リブ２ｂの両端部と下端水平リブ２ｃの両端部とは、側部リブ２ｄにより連結されている。
【００２１】
長側壁２には、板状部２ａの上部領域を、側部リブ２ｄを越えて外側に延在することにより、縦長の張出部２ｅが形成されており、張出部２ｅには、短側壁３の係合枠３ｂに穿設された嵌合孔３ｂ１に嵌合可能な嵌合突部２ｆが突設されている。本実施例においては、短側壁３の係合枠３ｂに穿設された２個の嵌合孔３ｂ１に対応して、２個の嵌合突部２ｆが形成されている例が示されている。また、側部リブ２ｄの張出部２ｅ側に位置する外面の上部で、且つ、嵌合突部２ｆ間に位置する外面には、側部リブ２ｄに略垂直な板状の係止片２ｇが形成されている。
【００２２】
また、長側壁２には、上述した特許文献１及び特許文献２に開示されているような、操作部５ａと一対の梃子杆５ｂとからなるロック解除部材５が配設されており、操作部５ａを稼働させることにより、梃子杆５ｂの先端部に形成されている押し上げ突部５ｂ１が上動するように構成されている。
【００２３】
折り畳みコンテナーが箱型に組み立てられた状態においては、図１や図６に示されているように、ロック解除部材５を構成する梃子杆５ｂの押し上げ突部５ｂ１が、短側壁３に形成された弾性舌片４に突設されている係合突部４ａの傾斜下面４ａ１に当接或いは接近して位置するように構成されている。
【００２４】
図３に示されているように、折り畳まれた状態の折り畳みコンテナーを、図１に示されているように、箱型に組み立てるには、先ず最初に、略水平状態の短側壁３を、垂直方向に回動させて、図２に示されているように、略垂直に立てる。次いで、底部１に重なるようにして折り畳まれている長側壁２を、垂直方向に回動させると、長側壁２の張出部２ｅが、略垂直に立てられた短側壁３に形成された係合枠３ｂに対向するように接近し、長側壁２の張出部２ｅに突設されている嵌合突部２ｆの先端部が、短側壁３の係合枠３ｂに形成された嵌合孔３ｂ１に挿入されることになる。この嵌合突部２ｆの嵌合孔３ｂ１への挿入過程と前後して、短側壁３に形成された弾性舌片４に突設されている係合突部４ａの傾斜側面４ａ２に、長側壁２の側部リブ２ｄに形成された係止片２ｇが当接することになる。この状態から、更に、長側壁２を、垂直方向に回動させると、長側壁２に形成された係止片２ｇが、短側壁３に形成された弾性舌片４を外側に弾性変形させ、係止片２ｇが、弾性舌片４に突設されている係合突部４ａを越えた時点で、弾性舌片４は、その復元力により、元の位置に復帰するとともに、弾性舌片４に突設されている係合突部４ａが、長側壁２の側部リブ２ｄに形成された係止片２ｇの内面（箱型に組み立てられた折り畳みコンテナーの内部側に位置する面）に当接或いは接近して位置することになる。
【００２５】
上述したようにして、折り畳みコンテナーが箱型に組み立てられた際には、短側壁３に形成された弾性舌片４に突設されている係合突部４ａが、長側壁２の側部リブ２ｄに形成された係止片２ｇに当接或いは接近して位置しているので、長側壁２が、底部１方向に倒れようとしても、長側壁２に形成されている係止片２ｇが、短側壁３に形成されている弾性舌片４の係合突部４ａに当接し、長側壁２の底部１方向への回動が阻止され、従って、長側壁２が、底部１方向に倒れるようなことを防止することができる。このように、長側壁２と短側壁３とのロックは、短側壁３に形成された弾性舌片４の係合突部４ａと長側壁２に形成された係止片２ｇにより行われ、この長側壁２と短側壁３とのロックは、ロック解除部材５を、作業者が操作することなく行われることになる。
【００２６】
図１に示されているように、箱型に組み立てられた折り畳みコンテナーを、図３に示されているように折り畳むには、長側壁３に配設されているロック解除部材５の操作部５ａを下動させて、梃子杆５ｂの先端部に形成されている押し上げ突部５ｂ１を上動させると、短側壁３に形成された弾性舌片４に突設されている係合突部４ａの傾斜下面４ａ１に当接或いは接近している押し上げ突部５ｂ１が、傾斜下面４ａ１に沿って、係合突部４の先端面４ａ３方向に移動し、弾性舌片４を外側に弾性変形させることになる。そして、ロック解除部材５を構成する梃子杆５ｂの押し上げ突部５ｂ１の先端が、短側壁３に形成された弾性舌片４の係合突部４ａの先端面４ａ３に当接した時点で、弾性舌片４の係合突部４ａが、長側壁２の側部リブ２ｄに形成されている係止片２ｇから外れるように構成されているので、このように、短側壁３に形成された弾性舌片４の係合突部４ａが、長側壁２に形成されている係止片２ｇから外れた時点で、長側壁２を、底部１方向に倒して、相対する長側壁２を、底部１に重ねる。その後、短側壁３を、底部１方向に倒して、底部１に重ねられている長側壁２の上に、相対する短側壁３を重ねることにより、図１に示されているように、箱型に組み立てられた折り畳みコンテナーを、図３に示されているように折り畳むことができる。
【００２７】
ところで、特許文献３等においては、図１７に示されているように、短側壁３が、略水平状態に倒された際には、長辺側土手部１ａ’に形成された、外壁部１ａ１’と外壁部１ａ１’の両端から内側に延在する相対する側壁部１ａ２’とにより、上方及び底部１側が開放された係合突部収容空間部Ｓ’に、短側壁３に形成された弾性舌片４の係合突部４ａが挿入されることになるが、上述したように、弾性舌片４の先端部に形成されている係合突部４ａを、可能な限り、嵌合孔３ｂ１間に形成された薄肉板部３ｂ２に近接して位置するように構成すると、係合突部４ａが、係合突部収容空間部Ｓ’を構成する外壁部１ａ１’に当接し、係合突部収容空間部Ｓ’への弾性舌片４の係合突部４ａの収容が阻害されることになる。
【００２８】
上述したように、弾性舌片４の先端部に形成されている係合突部４ａを、可能な限り、嵌合孔３ｂ１間に形成された薄肉板部３ｂ２に近接して位置するように構成すると、係合突部４ａが、従来の係合突部収容空間部Ｓ’を構成する外壁部１ａ１’に当接し、係合突部収容空間部Ｓ’への弾性舌片４の係合突部４ａの収容が阻害されることになるので、本発明においては、短側壁３に形成された弾性舌片４の係合突部４ａが当接しないように、従来の係合突部収容空間部Ｓ’を構成する外壁部１ａ１’の上端部を切り欠いたものである。
【００２９】
なお、図１〜図４及び図７において、Ｈ１は、短側壁３の下端水平リブ３ｅに立設された、縦長の帯状板材として形成されたカードホルダー用弾性部材であり、カードホルダー用弾性部材Ｈ１と短側壁３の板状部３ａとの間に、折り畳みコンテナーに収容される物品の種類や個数等の種々の情報が蓄積されたカードを挟持するように構成されている。
【００３０】
カードホルダー用弾性部材Ｈ１の裏面（箱型に組み立てられた折り畳みコンテナーの内部側に位置する面）ｈ１には、多数のカード引き抜き防止用突起ｈ２が形成されている。このカード引き抜き防止用突起ｈ２は、カードホルダー用弾性部材Ｈ１の裏面ｈ１から、下方に向かって傾斜した傾斜面ｈ２ａと、傾斜面ｈ２ａの下端から、カードホルダー用弾性部材Ｈ１の裏面ｈ１に連接された水平下面ｈ２ｂとにより、垂直断面形状が、略三角形状に形成されている。
【００３１】
カードを、カードホルダー用弾性部材Ｈ１と短側壁３の板状部３ａとの間に挿入する際には、カードは、カード引き抜き防止用突起ｈ２の傾斜面ｈ２ａに沿って挿入されるので、カードホルダー用弾性部材Ｈ１と短側壁３の板状部３ａとの間への挿入が容易である。また、カードホルダー用弾性部材Ｈ１と短側壁３の板状部３ａとの間に挿入されたカードが、上方に引き抜かれようとした際には、カードが、カード引き抜き防止用突起ｈ２を構成する傾斜面ｈ２ａと水平下面ｈ２ｂとにより形成される先端ｈ２ｃに引っ掛かり、簡単には、カードホルダー用弾性部材Ｈ１と短側壁３の板状部３ａとの間から、上方に引き抜かれることがないように構成されている。
【００３２】
図８及び図９を用いて、短側壁３に形成された弾性舌片４の係合突部４ａが収容される係合突部収容空間部Ｓについて説明する。
【００３３】
本発明の係合突部収容空間部Ｓも、従来の係合突部収容空間部Ｓ’と同様に、相対する側壁部１ａ２を有しており、また、相対する側壁部１ａ２の先端を連結する外壁部１ａ１は、係合突部収容空間部Ｓに収容される弾性舌片４の係合突部４ａが当接しないように、相対する側壁部１ａ２より低く形成されており、相対する側壁部１ａ２と高さの低いに外壁部１ａ１とにより、弾性舌片４の係合突部４ａの上端面４ａ４付近が収容される収容凹部ｓ１が形成されている。
【００３４】
上述したように、底部１の長辺側土手部１ａに、相対する側壁部１ａ２と高さの低いに外壁部１ａ１とにより、弾性舌片４の係合突部４ａの上端面４ａ４付近が収容される収容凹部ｓ１を形成することにより、折り畳みコンテナーが折り畳まれた際に、短側壁３に形成された弾性舌片４の係合突部４ａが、外壁部１ａ１に当接するようなことが防止できる。
【００３５】
底部１の長辺側土手部１ａに、相対する側壁部１ａ２と高さの低いに外壁部１ａ１とにより、短側壁３が倒された状態において、短側壁３に形成された弾性舌片４の係合突部４ａの上端面４ａ４付近が収容される収容凹部ｓ１を形成したので、弾性舌片４の係合突部４ａを、短側壁３に形成された係合枠３ｂの嵌合孔３ｂ１間に位置する薄肉板部３ｂ２に接近して配置することができる。従って、折り畳みコンテナーが箱型に組み立てられた際に、短側壁３に形成された弾性舌片４の係合突部４ａの折り畳みコンテナーの内部への突出部を皆無に、或いは、少なくすることができ、従来の折り畳みコンテナーのように、収容された物品を取り出す際に、物品が、弾性舌片４の係合突部４ａに引っ掛かり、物品の取り出し作業の作業性が悪化したり、物品が、弾性舌片４の係合突部４ａに引っ掛かり、物品が損傷するというような問題を解決することができる。
【００３６】
ところで、外壁部１ａ１の高さを、相対する側壁部１ａ２の高さより低く形成した場合には、折り畳みコンテナーを組み立てた際に、収容凹部ｓ１を構成する外壁部１ａ１の上端面１ａ３と、長側壁２を構成する下端水平リブ２ｃの下面との間に、方形状の窓状間隙が形成されることになる。このような窓状間隙が形成されると、箱型に組み立てられた折り畳みコンテナーに収容された物品が、窓状間隙から排出されることになる。
【００３７】
そこで、折り畳みコンテナーが箱型に組み立てられた際に形成される窓状間隙を遮蔽する遮蔽部材Ｃを、長側壁２に配設したものである。図１０及び図１１を用いて、遮蔽部材Ｃについて説明する。
【００３８】
底部１の長辺側土手部１ａに形成された係合突部収容空間部Ｓに対応して、長側壁２の下端水平リブ２ｃには、遮蔽部材Ｃが配設される遮蔽部材用凹部２ｈが形成されている。遮蔽部材用凹部２ｈは、天部２ｈ１と、天部２ｈ１の両端と下端水平リブ２ｃとを連結する相対する側壁部２ｈ２と、長側壁２の板状部２ａを遮蔽部材用凹部２ｈ内に延在することにより形成された奥壁２ｈ３とから構成されている。
【００３９】
遮蔽部材Ｃは、奥壁２ｈ３の下端に形成された、外側に水平方向に延在する水平部ｃ１と、水平部ｃ１の先端から下方に延在する遮蔽部ｃ２と、水平部ｃ１と遮蔽部ｃ２とにより形成される隅部の両端に形成された相対する側部ｃ３とを有しており、遮蔽部材Ｃを構成する水平部ｃ１や遮蔽部ｃ２や側部ｃ３は、遮蔽部材用凹部２ｈを構成する相対する側壁部２ｈ２に連接されている。また、側部ｃ３の先端面は、側部ｃ３の上端から下端に向かって、遮蔽部ｃ２に接近するような傾斜面ｃ３ａとして形成されている。
【００４０】
遮蔽部材Ｃの下端は、長側壁２の下端水平リブ２ｃを越えて、下方に突出しており、この遮蔽部材Ｃの長側壁２の下端水平リブ２ｃを越えて下方に突出する部分が、上述した窓状間隙を遮蔽することになる。
【００４１】
また、係合突部収容空間部Ｓは、相対する側壁部１ａ２と高さの低いに外壁部１ａ１とにより形成された収容凹部ｓ１を有しているとともに、外壁部１ａ１の内部側には、垂直方向に下方に延在する垂直部１ａ４と垂直部１ａ４の下端から水平方向に延在する水平部１ａ５とからなる段差を形成することにより、垂直部１ａ４と水平部１ａ５とにより、遮蔽部材収容段差部ｓ２が形成されている。なお、遮蔽部材収容段差部ｓ２を構成する水平部１ａ５は、底部１の底板１ｃより、上方に位置するように構成されている。
【００４２】
上述したように、相対する側壁部１ａ２間に形成されている係合突部収容空間部Ｓは、折り畳みコンテナーが折り畳まれた状態において、短側壁３に形成された弾性舌片４の係合突部４ａの上端面４ａ４付近が収容される収容凹部ｓ１と、長側壁２に形成された遮蔽部材Ｃが収容される遮蔽部材収容段差部ｓ２とを有している。
【００４３】
箱型に組み立てられた折り畳みコンテナーを、折り畳む際には、上述したように、長側壁２に配設されたロック解除部材５を操作して、長側壁２と短側壁３のロック状態を解除し、長側壁２を、底部１方向に倒して、底部１に重ねることになるが、長側壁２が、略水平状態に倒された際には、図１２及び図１３に示されているように、長側壁２の下端水平リブ２ｃに配設された遮蔽部材Ｃを構成する遮蔽部ｃ２が、上述した底部１の長辺側土手部１ａに形成された係合突部収容空間部Ｓの遮蔽部材収容段差部ｓ２に収容されるように構成されている。
【００４４】
上述したように、長側壁２を、底部１に重なるように倒した後、短側壁３を、底部１方向に倒すことになるが、短側壁３が、略水平状態に倒された際には、図１４に示されているように、短側壁３に形成されている弾性舌片４の係合突部４ａの上端面４ａ４付近が、収容凹部ｓ１に収容されるとともに、係合突部４ａの先端面４ａ３が、収容凹部ｓ１を構成する外壁部１ａ１の上端面１ａ３に載置、或いは、上端面１ａ３に接近して位置するように構成されている。このように構成することにより、折り畳まれた状態の短側壁３に、上方から負荷が加わった際に、このような負荷を、短側壁３に形成されている弾性舌片４の係合突部４ａの先端面４ａ３が、収容凹部ｓ１を構成する外壁部１ａ１の上端面１ａ３に当接することにより負担し、負荷が、短側壁３の下方に位置する長側壁２に及んで、長側壁２の強度的に弱い部分が損傷するようなことを防止することができる。
【００４５】
上述したように、短側壁３が、略水平状態に倒された際には、短側壁３に形成された弾性舌片４を構成する係合突部４ａの傾斜下面４ａ１が、長側壁２に形成された遮蔽部材Ｃを構成する側部ｃ３の傾斜面ｃ３ａに対向するように位置するとともに、短側壁３に形成された弾性舌片４を構成する係合突部４ａの傾斜下面４ａ１と長側壁２に形成された遮蔽部材Ｃを構成する側部ｃ３の傾斜面ｃ３ａとが、当接、或いは、接近して位置するように構成されている。このように構成することにより、折り畳みコンテナーが折り畳まれた状態において、短側壁３に、上方から負荷がかかった場合に、このような負荷を、短側壁３に形成された弾性舌片４を構成する係合突部４ａの傾斜下面４ａ１が、長側壁２に形成された遮蔽部材Ｃを構成する側部ｃ３の傾斜面ｃ３ａに当接することにより負担し、長側壁２や短側壁３の強度的に弱い部分がが損傷するようなことを防止することができる。
【００４６】
図１５及び図１６に示されているように、折り畳みコンテナーが、箱型に組み立てられた際には、長側壁２に形成された遮蔽部材Ｃが、底部１の長辺側土手部１ａに形成された係合突部収容空間部Ｓを構成する収容凹部ｓ１内に位置するとともに、遮蔽部材Ｃの下端が、収容凹部ｓ１を構成する外壁部１ａ１の上端面１ａ３に近接して位置するように構成されている。このように構成することにより、外壁部１ａ１の高さを、相対する側壁部１ａ２の高さより低く形成したことにより、折り畳みコンテナーを組み立てた際に、外壁部１ａ１の上端面１ａ３と側壁２を構成する下端水平リブ２ｃの下面との間に形成される窓状間隙を閉鎖することができ、従って、箱型に組み立てられた折り畳みコンテナーに収容された物品の窓状間隙からの排出を防止することができる。
【００４７】
また、折り畳みコンテナーが組み立てられた際には、遮蔽部材用凹部２ｈを構成する側壁部２ｈ２と、底部１の長辺側土手部１ａに形成されている側壁部１ａ２とを、連続的に形成することにより、上方からの負荷を、底部１に伝えることができるために、収容凹部ｓ１を設けたことによる圧縮強度を防止することができる。
【符号の説明】
【００４８】
Ｃ・・・・・・・・・・・遮蔽部材
Ｓ・・・・・・・・・・・係合突部収容空間部
ｓ１・・・・・・・・・・収容凹部
ｓ２・・・・・・・・・・遮蔽部材収容段差部
１・・・・・・・・・・・底部
２・・・・・・・・・・・長側壁
３・・・・・・・・・・・短側壁
４・・・・・・・・・・・弾性舌片
４ａ・・・・・・・・・・係合突部
【図１】
2010173654.tif 000003
【図２】
2010173654.tif 000004
【図３】
2010173654.tif 000005
【図４】
2010173654.tif 000006
【図５】
2010173654.tif 000007
【図６】
2010173654.tif 000008
【図７】
2010173654.tif 000009
【図８】
2010173654.tif 000010
【図９】
2010173654.tif 000011
【図１０】
2010173654.tif 000012
【図１１】
2010173654.tif 000013
【図１２】
2010173654.tif 000014
【図１３】
2010173654.tif 000015
【図１４】
2010173654.tif 000016
【図１５】
2010173654.tif 000017
【図１６】
2010173654.tif 000018
【図１７】
2010173654.tif 000019